(57)【要約】【課題】映像のような大容量のコンテンツを閲覧しようとすると、公衆の通信回線に非常に大きな負荷を与え、他のユーザが接続しにくくなる。また、インターネット上ではコンテンツのセキュリティ確保が困難である。【解決手段】情報蓄積装置１０１に対して例えば屋外の携帯情報端末装置１０２ａが、テレビ放送信号の録画又はインターネット１０４からの任意の映像情報取得のために、第一の通信信号１１１を情報蓄積装置１０１に対して無線送信する。情報蓄積装置１０１は、受信した第一の通信信号１１１の指示に従い、テレビ放送信号の録画又はインターネット１０４からの任意の映像情報の取得を行う。その後、屋内の携帯情報端末装置１０２ｂからの送信要求に基づいて、情報蓄積装置１０１から要求された情報内容の第二の通信信号１１２が送信される。これにより、コンテンツの情報を、携帯情報端末装置１０２ｂで視聴することができる。【選択図】            図１
2004228942.tif 000002
【特許請求の範囲】
【請求項１】
第一の通信方式で受信した第一の通信信号により指示された情報源から指示されたコンテンツの内容を記録媒体に記録する第１の機能と、第二の通信方式で近距離無線通信を行い、送信要求により前記記録媒体から要求された記録情報を再生して送信する第２の機能を備えた情報蓄積装置と、
前記第二の通信方式で定められた距離範囲よりも長距離範囲で、前記情報蓄積装置に対して前記第一の通信方式で前記第一の通信信号を送信して、前記情報蓄積装置により所望の情報源の所望のコンテンツの内容を記録させる第１の携帯情報端末装置と、
前記第二の通信方式で前記情報蓄積装置に対して所望のコンテンツの記録情報の送信を要求すると共に、該情報蓄積装置から前記第二の通信方式で送信された該所望のコンテンツの情報内容の第二の通信信号を受信する、前記第１の携帯情報端末装置とは一体又は別体の第２の携帯情報端末装置と
を有することを特徴とする通信システム。
【請求項２】
記録媒体に情報信号を記録する情報蓄積装置に対して、所望の情報源の所望のコンテンツの情報内容を記録させることを指示する第一の通信信号を第一の通信方式で送信する第１の通信手段と、
前記第一の通信方式で通信可能な距離よりも通信可能な最大距離範囲が短い近距離無線通信を行う第二の通信方式で、前記情報蓄積装置に対して蓄積されている所望のコンテンツの情報内容の送信要求を行い、該送信要求に応答して前記情報蓄積装置から前記第二の通信方式で送信された該所望のコンテンツの情報内容の第二の通信信号を受信する第２の通信手段と
を有することを特徴とする携帯情報端末装置。
【請求項３】
複数の情報源のうち指示された情報源のコンテンツの情報を記録媒体に記録し、記録されたコンテンツの情報のうち指示されたコンテンツの情報を該記録媒体から再生する記録再生手段と、
第１の携帯情報端末装置から第一の通信方式で送信された第一の通信信号を受信し、受信した該第一の通信信号により指示された情報源のコンテンツの情報内容を前記記録再生手段により前記記録媒体に記録させる第１の通信手段と、
前記第一の通信方式で通信可能な距離よりも通信可能な最大距離範囲が短い近距離無線通信方式である第二の通信方式で前記第１の携帯情報端末装置又はこれとは異なる第２の携帯情報端末装置との間で通信を行い、該第１又は第２の携帯情報端末装置から該第二の通信方式で送信されたコンテンツ送信要求を受信し、該コンテンツ送信要求により指示されたコンテンツの情報内容を前記記録再生手段により前記記録媒体から再生させて該第二の通信方式で送信する第２の通信手段と
を有することを特徴とする情報蓄積装置。
【発明の詳細な説明】
【０００１】
【発明の属する技術分野】
本発明は通信システム並びに携帯情報端末装置及び情報蓄積装置に係り、特にモバイル環境のための情報をホーム環境で一時蓄積し、ホーム環境において携帯情報端末に蓄積する通信システム並びに携帯情報端末装置及び情報蓄積装置に関する。
【０００２】
【従来の技術】
従来の携帯情報端末装置は単独で使用することが多く、他の機器に接続して使用する場合には、パーソナルコンピュータ（以下、パソコン）と接続することがある。このパソコンとの接続の目的は、携帯型情報端末装置のプログラムソフトの更新や、携帯型情報端末装置で入力した文章などをパソコンに取り込むことである。
【０００３】
一方、情報蓄積装置の代表的な商品として、ＶＨＳ（登録商標）規格のヘリカルスキャン方式磁気記録再生装置が挙げられる。この磁気記録再生装置では地上波放送信号等の情報信号を取り込み、その情報信号を回転ヘッドにより磁気テープに蓄積（録画）することができる。また、近年では、ハードディスクやＤＶＤ（Ｄｉｇｉｔａｌ  Ｖｅｒｓａｔｉｌｅ  Ｄｉｓｃ）等に放送信号等を蓄積する情報蓄積装置も出回ってきている。これらの情報蓄積装置は、リモコンにより離れたところで操作できるが、リモコンに映像を出力できるというものではない。また、これまでのＶＨＳ規格の情報蓄積装置の中には、電話回線にケーブルで接続することにより、外出先から電話により録画予約ができる商品もある。
【０００４】
また、上記の情報蓄積装置と携帯情報端末装置とからなる通信システムも従来より知られている。図５はこの従来の通信システムの一例のシステム構成図を示す。同図中、通信システムは、情報蓄積装置１００１と携帯情報端末装置の一例としての携帯電話１００２とからなり、情報蓄積装置１００１はアンテナ１００３に接続されている。なお、以下の説明において、情報蓄積装置による録画動作またはインターネットからの映像取得等の制御信号を第一の通信信号と呼び、情報蓄積装置から若しくは携帯情報端末装置からのコンテンツ送信信号を第二の通信信号と呼ぶ。
【０００５】
図５において、テレビ放送等を受信するアンテナ１００３から録画したい番組がある場合、外出先の携帯電話１００２から電話回線により、番組予約のための第一の通信信号１０１１を屋内にある情報蓄積装置１００１に送信することで希望するチャネルの希望する時間帯の録画予約を行うことができる。しかしながら、この従来の通信システムは、外出先の携帯電話１００２で情報を得られる通信システムではなく、帰宅後に情報蓄積装置１００１により予約録画した番組の情報を閲覧するための通信システムである。
【０００６】
さらに近年では、インターネットの普及によりブラウザを閲覧したり、メールの送受信を行ったりするために携帯電話や簡易携帯電話（ＰＨＳ）を用いる携帯情報端末装置が出てきている。しかしながら、この種の携帯情報端末装置でも情報蓄積装置と同様な動画の映像が見られるものではない。
【０００７】
また、屋外にいても携帯情報端末装置により屋内にある情報蓄積装置にあるコンテンツを閲覧するための通信システムが従来より提案されている（例えば、特許文献１参照）。図６はこの特許文献１記載の従来の通信システムの一例のシステム構成図を示す。同図において、情報蓄積装置１１０１は、アンテナ１１０３で受信したテレビ放送信号や、インターネット１１０４を介して入力されたメール・画像データを記録媒体に記録し、再生する機能を備えた装置であり、屋内に設置されている。
【０００８】
一方、携帯情報端末装置１１０２ａ及び１１０２ｂは、インターネット１１０４を介して情報蓄積装置１１０１にメール・画像データを蓄積させる制御機能を有する。ここでは、携帯情報端末装置１１０２ａは屋外にあり、携帯情報端末装置１１０２ｂは情報蓄積装置１１０１の近距離の屋外又は屋内にある。
【０００９】
ここで、テレビ放送等を受信するアンテナ１１０３およびインターネット１１０４上のメール・画像データを、屋外にある携帯情報端末装置１１０２ａからの一番目の第一の通信信号１１１１によりインターネット１１０４を介して情報蓄積装置１１０１を制御して蓄積させることができ、また情報蓄積装置１１０１に蓄積されたテレビ放送信号やメール・画像データは、一番目の第二の通信信号１１１１によりインターネット１１０４を介して携帯情報端末装置１１０２ａで閲覧することができる。
【００１０】
また、屋内もしくは屋外であっても所定方式（例えば、ＵＷＢ（Ｕｌｔｒａ  Ｗｉｄｅ  Ｂａｎｄ））で定められた近距離無線通信可能な範囲内にある携帯情報端末装置１１０２ｂからの二番目の第一の通信信号１１１２によりインターネット１１０４を介して情報蓄積装置１１０１を制御してテレビ放送信号やインターネット１１０４上のメール・画像データを蓄積させることができ、また情報蓄積装置１１０１に蓄積されたテレビ放送信号やメール・画像データを、二番目の第二の通信信号１１１２によりインターネット１１０４を介して携帯情報端末装置１１０２ｂで閲覧することができる。二番目の第一および第二の通信信号１１１２により通信されるときは、一番目の第一および第二の通信信号１１１１が用いられることはない。
【００１１】
なお、ここでは、屋内と屋外の動作を同時に示すために、２つの携帯情報端末装置１１０２ａと１１０２ｂを図示したが、これらは同一であっても構わない。また、２つの通信方式で同一の制御を行うために、特許文献１記載の発明においてはインターネットに用いられるＨＴＭＬによるプロトコルを用いて、常にインターネットプロトコル経由で通信を行っている。
【００１２】
【特許文献１】
特開２００１−２５６１５６公報
【００１３】
【発明が解決しようとする課題】
図６に示した従来の通信システムでは、屋外の携帯情報端末装置１１０２ａからでも情報蓄積装置１１０１に蓄積されたコンテンツの閲覧ができる。しかしながら、動画による映像のような大容量のコンテンツを屋外の携帯情報端末装置１１０２ａでも閲覧できるようにするには、屋外において携帯電話やＰＨＳのような公衆網接続で長時間接続する必要がある。
【００１４】
従って、複数の携帯情報端末装置のユーザが映像のような大容量のコンテンツを閲覧しようとすると、公衆の通信回線に非常に大きな負荷を与え、他のユーザが接続しにくくなるという課題がある。さらに、屋外の携帯情報端末装置１１０２ａではインターネット１１０４を通してコンテンツを閲覧することになるが、インターネット１１０４上ではコンテンツのセキュリティ確保が困難であるという問題がある。
【００１５】
本発明は以上の点に鑑みなされたもので、公衆の通信回線に大きな負荷を与えることなく、情報蓄積装置に録画した動画による映像コンテンツ等を閲覧できる通信システム並びに携帯情報端末装置及び情報蓄積装置を提供することを目的とする。
【００１６】
また、本発明の他の目的は、インターネット等の通信ネットワークを用いてもセキュリティ確保が容易な通信を行い得る通信システム並びに携帯情報端末装置及び情報蓄積装置を提供することにある。
【００１７】
【課題を解決するための手段】
上記の目的を達成するため、本発明の通信システムは、第一の通信方式で受信した第一の通信信号により指示された情報源から指示されたコンテンツの内容を記録媒体に記録する第１の機能と、第二の通信方式で近距離無線通信を行い、送信要求により記録媒体から要求された記録情報を再生して送信する第２の機能を備えた情報蓄積装置と、第二の通信方式で定められた距離範囲よりも長距離範囲で、情報蓄積装置に対して第一の通信方式で第一の通信信号を送信して、情報蓄積装置により所望の情報源の所望のコンテンツの内容を記録させる第１の携帯情報端末装置と、第二の通信方式で情報蓄積装置に対して所望のコンテンツの記録情報の送信を要求すると共に、情報蓄積装置から第二の通信方式で送信された所望のコンテンツの情報内容の第二の通信信号を受信する、第１の携帯情報端末装置とは一体又は別体の第２の携帯情報端末装置とを有する構成としたものである。
【００１８】
この発明では、第二の通信方式による近距離での通信によりコンテンツの情報を情報蓄積装置から第２の携帯情報端末装置が受信するようにしたため、公衆網に接続することなく動画による映像のような大容量のコンテンツを長時間閲覧することができ、また、外出先までを繋ぐような広域ネットワークに携帯情報端末装置への送信のために、大容量の映像データが流れることはない。
【００１９】
また、上記の目的を達成するため、本発明の携帯情報端末装置は、記録媒体に情報信号を記録する情報蓄積装置に対して、所望の情報源の所望のコンテンツの情報内容を記録させることを指示する第一の通信信号を第一の通信方式で送信する第１の通信手段と、第一の通信方式で通信可能な距離よりも通信可能な最大距離範囲が短い近距離無線通信を行う第二の通信方式で、情報蓄積装置に対して蓄積されている所望のコンテンツの情報内容の送信要求を行い、送信要求に応答して情報蓄積装置から第二の通信方式で送信された所望のコンテンツの情報内容の第二の通信信号を受信する第２の通信手段とを有する構成としたものである。
【００２０】
この発明では、第二の通信方式よりも通信可能な最大距離範囲が長い第一の通信方式により情報蓄積装置に、所望のコンテンツの情報を記録する指示ができ、また、情報蓄積装置に対して近距離の屋内位置にて第二の通信方式により情報蓄積装置から所望のコンテンツの情報内容の第二の通信信号を受信して閲覧することができる。
【００２１】
また、上記の目的を達成するため、本発明の情報蓄積装置は、複数の情報源のうち指示された情報源のコンテンツの情報を記録媒体に記録し、記録されたコンテンツの情報のうち指示されたコンテンツの情報を記録媒体から再生する記録再生手段と、第１の携帯情報端末装置から第一の通信方式で送信された第一の通信信号を受信し、受信した第一の通信信号により指示された情報源のコンテンツの情報内容を記録再生手段により記録媒体に記録させる第１の通信手段と、第一の通信方式で通信可能な距離よりも通信可能な最大距離範囲が短い近距離無線通信方式である第二の通信方式で第１の携帯情報端末装置又はこれとは異なる第２の携帯情報端末装置との間で通信を行い、第１又は第２の携帯情報端末装置から第二の通信方式で送信されたコンテンツ送信要求を受信し、コンテンツ送信要求により指示されたコンテンツの情報内容を記録再生手段により記録媒体から再生させて第二の通信方式で送信する第２の通信手段とを有する構成としたものである。
【００２２】
この発明では、第二の通信方式よりも通信可能な最大距離範囲が長い第一の通信方式により携帯情報端末装置から送信された第一の通信信号により指示された情報源のコンテンツの情報内容を記録媒体に記録することができ、また、情報蓄積装置に対して近距離の屋内位置にて第二の通信方式により携帯情報端末装置から要求された所望のコンテンツの情報内容を、第二の通信信号として送信して要求元の携帯情報端末装置にて閲覧させることができる。
【００２３】
【発明の実施の形態】
次に、本発明の実施の形態について図面と共に説明する。図１は本発明になる通信システムの第一の実施の形態のシステム構成図を示す。なお、以下の説明においては、前述したように、情報蓄積装置による録画動作またはインターネットからの映像取得等のための制御信号を第一の通信信号と呼び、情報蓄積装置から若しくは携帯情報端末装置からのコンテンツ送信信号を第二の通信信号と呼ぶ。
【００２４】
図１において、情報蓄積装置１０１はハードディスク、ＤＶＤ、ビデオテープ、固体メモリ等の中で適当なデバイスを使用して、アンテナ１０３で受信されたテレビ放送信号やインターネット１０４上の画像データやメールデータ等の情報信号を記録し、再生する装置であり、また、外部からの制御信号により動作が制御可能な構成とされており、屋内に設置されている。
【００２５】
また、情報蓄積装置１０１は、インターネット１０４に接続して所望の情報を取得できるようにされている。携帯情報端末装置１０２ａ及び１０２ｂは情報蓄積装置１０１との間で無線通信可能で、かつ、移動自在な端末装置で、いずれも第一及び第二の通信手段を有している。ここで、第一の通信手段は、第一の通信信号で通信する手段であり、第二の通信手段は、第二の通信信号で通信する手段である。
【００２６】
次に、本実施の形態の動作について説明する。携帯情報端末装置１０２ｂは、情報蓄積装置１０１との間で第二の通信方式、例えばＩＥＥＥ８０２．１５により規格化されているＵＷＢ（Ｕｌｔｒａ  Ｗｉｄｅ  Ｂａｎｄ）による近距離無線通信が可能な範囲（例えば、最大１０ｍ以内）で無線通信するのに対し、携帯情報端末装置１０２ａは、この近距離無線通信が可能な範囲よりも長距離で、かつ、第一の通信方式での無線通信が可能な範囲（例えば、１００ｍ程度以内）で情報蓄積装置１０１との間で無線通信をする。
【００２７】
これにより、情報蓄積装置１０１に対して上記の比較的長距離の屋内又は屋外の無線通信可能な範囲内に在圏する携帯情報端末装置１０２ａが、アンテナ１０３で受信されるテレビ放送信号の録画又はインターネット１０４からの任意の映像情報取得のために、第一の通信信号１１１を情報蓄積装置１０１に対して無線送信する。
【００２８】
情報蓄積装置１０１は、この第一の通信信号１１１を受信すると、その第一の通信信号１１１が録画動作を指示している場合には、指示されたチャンネルでアンテナ１０３で受信されるテレビ放送信号を、指示された時刻から情報として記録媒体に蓄積する。また、情報蓄積装置１０１は、受信した第一の通信信号１１１がインターネット１０４からの情報取得要求を指示している場合には、上記の録画動作と同様にして記録媒体にインターネット１０４から取得した、指示された所望の情報信号の蓄積処理を行う。
【００２９】
その後、ユーザが帰宅した時、つまり、情報蓄積装置１０１と同じ屋内のＵＷＢでの通信可能な近距離に戻った際に、携帯情報端末装置１０２ｂから情報蓄積装置１０１に対して、蓄積されている情報信号の送信を第二の通信方式で無線信号により要求すると、情報蓄積装置１０１から要求された情報内容の第二の通信信号１１２が携帯情報端末装置１０２ｂへ送信される。これにより、ユーザは携帯情報端末装置１０２ａで録画又は取得を指示した内容のコンテンツの情報を、携帯情報端末装置１０２ｂで視聴することができる。
【００３０】
このように、本実施の形態によれば、近距離での通信によりコンテンツの情報を情報蓄積装置１０１から携帯情報端末装置１０２ｂが受信するようにしたため、動画による映像のような大容量のコンテンツを長時間閲覧する場合でも、公衆網に負荷を与えたり、公衆網に接続する他のユーザが接続しにくくなるということが全くなく、また、外出先までを繋ぐような広域ネットワークに携帯情報端末装置への送信のために、大容量の映像データが流れることはなく、セキュリティ確保が容易である。なお、ここでは説明のために２つの携帯情報端末装置１０２ａ、１０２ｂを用いたが、１つの携帯情報端末装置であってもよい。また、情報蓄積装置１０１が蓄積する元の映像としては既に表示用に録画済のハードディスク、磁気テープ、光ディスク等であってもよい。
【００３１】
次に、本発明の第二の実施の形態について説明する。図２は本発明になる通信システムの第二の実施の形態のシステム構成図を示す。同図において、情報蓄積装置２０１はハードディスク、ＤＶＤ、ビデオテープ、固体メモリ等の中で適当なデバイスを使用して、アンテナ２０３で受信されたテレビ放送信号やインターネット２０４上の画像データやメールデータ等の情報信号を記録し、再生する装置であり、また、外部からの制御信号により動作が制御可能な構成とされており、屋内に設置されている。なお、情報蓄積装置２０１内の記録媒体には情報が既に記録済みであってもよい。
【００３２】
また、携帯情報端末装置２０２ｂは、前述した携帯情報端末装置１０２ｂと同様に、情報蓄積装置２０１との間で第二の通信方式、例えばＩＥＥＥ８０２．１５により規格化されているＵＷＢ（Ｕｌｔｒａ  Ｗｉｄｅ  Ｂａｎｄ）による近距離無線通信が可能な範囲（例えば、最大１０ｍ以内）で無線通信する。これに対し、携帯情報端末装置２０２ａは、情報蓄積装置２０１との物理的な距離の制限はなく、インターネット２０４と接続可能な環境下にあればよく、インターネット２０４を介して情報蓄積装置２０１に接続できるように構成されている。
【００３３】
次に、本実施の形態の動作について説明する。ユーザは外出先から携帯情報端末装置２０２ａを用いて、情報蓄積装置２０１に録画動作またはインターネットからの映像取得等を指示する第一の通信信号２１１を送信する。その送信は、インターネット２０４を経由して行われる。
【００３４】
情報蓄積装置２０４は、この第一の通信信号２１１を受信すると、その第一の通信信号２１１が録画動作を指示している場合には、指示されたチャンネルでアンテナ２０３で受信されるテレビ放送信号を、指示された時刻から情報として記録媒体に蓄積する。また、情報蓄積装置２０１は、受信した第一の通信信号２１１がインターネット２０４からの情報取得要求を指示している場合には、上記の録画動作と同様にして記録媒体にインターネット２０４から取得した、指示された所望の情報信号の蓄積処理を行う。
【００３５】
その後、ユーザが帰宅した時、つまり、情報蓄積装置２０１と同じ屋内のＵＷＢでの通信可能な近距離に戻った際に、携帯情報端末装置２０２ｂから情報蓄積装置２０１に対して、蓄積されている情報信号の送信を第二の通信方式で無線信号により要求すると、情報蓄積装置２０１から要求された情報内容の第二の通信信号２１２が携帯情報端末装置２０２ｂへ送信される。これにより、ユーザは携帯情報端末装置２０２ａで録画又は取得を指示した内容のコンテンツの情報を、携帯情報端末装置２０２ｂで視聴することができる。
【００３６】
ここで、情報蓄積装置２０１がインターネット２０４を通して外部サーバから映像等の所望の情報を取得する場合に、インターネット２０４から情報蓄積装置２０１の間で少なくとも一部は、第一の通信信号２１１と同じ経路となる。しかしながら、情報蓄積装置２０１と携帯情報端末装置２０２ｂの間では、外出先までを繋ぐような広域ネットワークに大容量の映像データが流れることはない。
【００３７】
このように、本実施の形態によれば、第１の実施の形態と同様の特長を有し、それに加えて携帯情報端末装置２０２ａが情報蓄積装置２０１から遠距離にあっても、インターネット２０４と接続できる環境下にあれば、携帯情報端末装置２０２ａを使用してインターネット２０４を介して情報蓄積装置２０１に対して所望のコンテンツの情報内容の蓄積の指示ができ、また、その蓄積したコンテンツの内容を携帯情報端末装置２０２ｂにより視聴することができる。なお、本実施の形態でも説明のために２つの携帯情報端末装置２０２ａ、２０２ｂを用いたが、１つの携帯情報端末装置であってもよい。
【００３８】
次に、本発明の第三の実施の形態について説明する。図３は本発明になる通信システムの第三の実施の形態のシステム構成図を示す。同図において、情報蓄積装置３０１はハードディスク、ＤＶＤ、ビデオテープ、固体メモリ等の中で適当なデバイスを使用して、アンテナ３０３で受信されたテレビ放送信号やインターネット３０５上の画像データやメールデータ等の情報信号を記録し、再生する装置であり、また、携帯電話網３０４からの制御信号により動作が制御可能な構成とされており、屋内に設置されている。なお、情報蓄積装置３０１内の記録媒体には情報が既に記録済みであってもよい。
【００３９】
また、携帯情報端末装置３０２ｂは、前述した携帯情報端末装置１０２ｂ及び２０２ｂと同様に、情報蓄積装置３０１との間で第二の通信方式、例えばＩＥＥＥ８０２．１５により規格化されているＵＷＢ（Ｕｌｔｒａ  Ｗｉｄｅ  Ｂａｎｄ）による近距離無線通信が可能な範囲（例えば、最大１０ｍ以内）で無線通信する。これに対し、携帯情報端末装置３０２ａは、情報蓄積装置３０１との物理的な距離の制限はなく、携帯電話網３０４と接続可能な環境下にあればよく、携帯電話網３０４を介して情報蓄積装置３０１に接続できるように構成されている。
【００４０】
次に、本実施の形態の動作について説明する。ユーザは外出先から携帯情報端末装置３０２ａを用いて、情報蓄積装置３０１にテレビ放送信号の録画動作またはインターネットからの映像取得等を指示する第一の通信信号３１１を送信する。その送信は、携帯電話網３０４を経由して行われる。インターネット３０５からの映像取得が指示された場合には、インターネット３０５からの情報は有線回線を用いて情報蓄積端末装置３０１へ蓄積される。
【００４１】
その後、ユーザが帰宅した時、つまり、情報蓄積装置３０１と同じ屋内のＵＷＢでの通信可能な近距離に戻った際に、携帯情報端末装置３０２ｂから情報蓄積装置３０１に対して、蓄積されている情報信号の送信を第二の通信方式で無線信号により要求すると、情報蓄積装置３０１から要求された情報内容の第二の通信信号２１２が携帯情報端末装置３０２ｂへ送信される。これにより、ユーザは携帯情報端末装置３０２ａで録画又は取得を指示した内容のコンテンツの情報を、携帯情報端末装置３０２ｂで視聴することができる。
【００４２】
このように、本実施の形態によれば、近距離での通信によりコンテンツの情報を情報蓄積装置３０１から携帯情報端末装置３０２ｂが受信するようにしたため、動画による映像のような大容量のコンテンツを長時間閲覧する場合でも、携帯電話網３０４に負荷を与えたり、携帯電話網３０４に接続する他のユーザが接続しにくくなるということが全くなく、また、外出先までを繋ぐような広域ネットワークに携帯情報端末装置への送信のために、大容量の映像データが流れることはなく、セキュリティ確保が容易である。
【００４３】
また、本実施の形態によれば、第二の実施の形態と同様に、携帯情報端末装置３０２ａが情報蓄積装置３０１から遠距離にあっても、携帯電話網３０４と接続できる環境下にあれば、携帯情報端末装置３０２ａを使用して携帯電話網３０４を介して情報蓄積装置３０１に対して所望のコンテンツの情報内容の蓄積の指示ができる。なお、ここでは説明のために２つの携帯情報端末装置３０２ａ、３０２ｂを用いたが、１つの携帯情報端末装置であってもよい。
【００４４】
次に、以上の第一乃至第三の実施の形態における情報蓄積装置１０１、２０１、３０１と携帯情報端末装置１０２ａ、１０２ｂ、２０２ａ、２０２ｂ、３０１ａ、３０１ｂの間の信号の流れについて、図４と共に説明する。初めに、携帯情報端末装置側から第一の通信方式により情報蓄積装置１０１、２０１、３０１に対してコンテンツ蓄積の要求がなされる（ステップＳ１）。
【００４５】
この要求に基づき情報蓄積装置１０１、２０１、３０１で要求されたコンテンツが蓄積された後に、第一の通信方式で蓄積完了の通知のための送信が情報蓄積装置１０１、２０１、３０１から要求元の携帯情報端末１０２ａ、２０２ａ、３０２ａに対して行われる（ステップＳ２）。
【００４６】
その後、携帯情報端末装置が１０２ｂ、２０２ｂ、３０２ｂで示したように、第二の通信方式で情報蓄積装置１０１、２０１、３０１との間で無線通信可能な状態になった際に、携帯情報端末装置が第二の通信方式により、所望のコンテンツの送信要求を情報蓄積装置１０１、２０１、３０１に対して行う（ステップＳ３）。このコンテンツの送信要求を受けて、情報蓄積装置１０１、２０１、３０１から所望のコンテンツが要求元の携帯情報端末装置１０２ｂ、２０２ｂ、３０２ｂに対して第二の通信方式で送信される（ステップＳ４）。
【００４７】
なお、上記の各実施の形態において、無線信号に代えて光無線信号を用いることもできる。すなわち、本明細書において、無線は光無線も包含する。
【００４８】
【発明の効果】
以上、説明したように、本発明によれば、第二の通信方式による近距離での通信によりコンテンツの情報を情報蓄積装置から第２の携帯情報端末装置が受信することにより、公衆網に接続することなく動画による映像のような大容量のコンテンツを長時間閲覧することができるため、複数のユーザが映像のような大容量のコンテンツの情報を得たとしても、公衆網に大きな負荷を与えたり、屋外の携帯電話やＰＨＳのような公衆網や携帯電話網の長時間の接続により他のユーザが接続しにくくなったりという従来の現象を防止することができる。
【００４９】
また、本発明によれば、外出先までを繋ぐような広域ネットワークに、携帯情報端末装置へ送信される大容量の映像データが流れることはなく、更に、屋内の近距離無線通信によりコンテンツの情報内容の送信を行うため、セキュリティの確保が容易であるという優れた効果を有する。
【図面の簡単な説明】
【図１】本発明の通信システムの第一の実施の形態のシステム構成図である。
【図２】本発明の通信システムの第二の実施の形態のシステム構成図である。
【図３】本発明の通信システムの第三の実施の形態のシステム構成図である。
【図４】本発明のコンテンツ蓄積要求からコンテンツ送信までの通信手順を示す図である。
【図５】従来の通信システムの一例を示すシステム構成図である。
【図６】従来の通信システムの他の例を示すシステム構成図である。
【符号の説明】
１０１、２０１、３０１  情報蓄積装置
１０２ａ、１０２ｂ、２０２ａ、２０２ｂ、３０２ａ、３０２ｂ  携帯情報端末装置
１０３、２０３、３０３  アンテナ
１０４、２０４、３０５  インターネット
１１１、２１１、３１１  第一の通信信号
１１２、２１２、３１２  第二の通信信号
３０４  携帯電話網
【図１】
2004228942.tif 000003
【図２】
2004228942.tif 000004
【図３】
2004228942.tif 000005
【図４】
2004228942.tif 000006
【図５】
2004228942.tif 000007
【図６】
2004228942.tif 000008